Podtech/llm-jp-corpus-v4-ja_patent huggingface dataset:
(57)【要約】      （修正有）【課題】優秀な素材を使うことによって補強の手間を省略したり、複雑な図形の凧も竹を熱で折り曲げたり、ただ外縁を折り曲げるだけで作成する。【解決手段】厚紙を応用することで前縁に破れにくい素材を貼り付けることで見栄えがよく、なおかつ頑強な凧を軽量で作ることができる。【選択図】図１
2006167399.tif 000002
【特許請求の範囲】
【請求項１】
複雑な図形の高速描画と外縁の補強。
大きな紙を二つに折って何度も書き直しておおよその形が決まってから普通サイズの雲形定規等やフリーハンドで形を整えてそれを大きな厚紙に移し、カットすることで型紙を作成したことを認識いたします。
その実物大の大きな型紙を大きな雲形定規の代わりに使って、その型紙を表に配置して大型のホッチキスを使って一時的に固定して、その裏に複数枚のカーボン紙を配置して表をボールペンで描画することで裏も同時に描画して複雑な図形を高速描画してなおかつ左右対称に描き、その切れ端を型紙の付録として利用することで複雑な図形の縁取りとして貼れるように型紙と型紙の付録で展開図を描き、内縁を先に描いて切断してから接着剤で貼り付けて、それから外縁を切ることで複雑な図形を縁取りして、なおかつ補強する。
なお、型紙と厚紙は同じ素材でも加工する前の紙を厚紙、加工した後の紙を型紙という風に区別しています。
【請求項２】
「請求項１」の技法を応用して素材の違う平面の素材を補強に使うことで、より頑強に作ることができる。
そのとき使う接着剤も補強に使うことができるかもしれない。「接着剤の種類によってはありうる。」と、推測される。
【発明の詳細な説明】
【技術分野】
【０００１】  本発明は凧を作っている過程で副次的に発明した技術である。
【背景技術】
【０００２】  凧の形は上質紙に何度も描きなおして製作者が満足した形を指し示すが、凧の形をコピーしたときコピー元の上質紙からコピー先の上質紙にカーボン紙を配置してコピーするとボールペンの筆圧で１回描いただけでコピー元の上質紙が破れてしまうので型紙として使うことができない。上質紙で作った形を原本として保護するために、上質紙で凧の形が出来上がったら、いったん厚紙に形を写し、雲形定規等やフリーハンドで形を整えてからカットして、それを上質紙にコピーしたものを原本にして、図面を描き、その型紙の切れ端を利用して外縁を縁取るように補強する。なお型紙の切れ端も型紙の付録として便宜上番号を与えて利用している。
図面において  色見本用の型紙を利用して「図１」から「図５」のプロセスを３分間クッキングの要領（あらかじめ、完成品、その前の段階、その前の前の段階・・・中略・・・最初の段階、白紙の状態を用意して、前の段階から次の段階にかかる時間を省略して、白紙の状態から完成品まで各段階を順番に見せることで、短時間で説明すること）で、凧に使われる紙の補強の過程を説明する。【０００３】  プロセスルールという言葉はパーソナルコンピュータの用語を借用した。展開図は型紙のコピーを使ったため数値は比率とあまり意味は変わらない。型紙自体が手作りであるので誤差ができてしまった。図１から初めて図５で終わる。
【解決手段】
【０００４】  凧の形を厚紙に写し型紙にすることで半永久的とはいかないまでも何回もコピーすることができ、ポリカーボネートや、リップストップナイロン、カーボンやグラスファイバーなどの新素材を使い、大規模な工業設備を使用すれば凧の量産にも貢献するかもしれません。
【図面の簡単な説明】
【０００５】
【図１】無地の用紙に「型紙１」を大型のホッチキスで固定した図。
【図２】「図１」に、「型紙の付録１」、「型紙の付録２」、「型紙の付録３」をジグソーパズルみたいにはめて、折り返し線と内縁の境界線を描いた図。
【図３】内縁の線をカッターで切り落とした図
【図４】折り返し線で折り返して接着剤で貼り付けた図。
【図５】「図１」で描いた線をカッターで切り落として完成。
【図１】
2006167399.tif 000003
【図２】
2006167399.tif 000004
【図３】
2006167399.tif 000005
【図４】
2006167399.tif 000006
【図５】
2006167399.tif 000007
(57)【要約】【課題】背中や肩の凝りに対して、布団やベッド又はイスなどの上で自分の体重の力を自在に調節して、効果的に且つ強力にマッサージを行うマッサージ器を提供する。【解決手段】本体を四角錐形にすることにより安定性や高さを持たせ、高さ調節ができる中台２や基台１を設けたことを特徴とする。【選択図】図１
2006167392.tif 000002
【特許請求の範囲】
【請求項１】
側面が梯形状の基台１の上に、基台１に対応する梯形状の中台２を嵌合部１ａを介して積み重ね、中台２の上に、指圧部４を頂部に設けた上台３を、嵌合部２ａを介して積み重ねたマッサージ器Ａと、これとは別に設けた取り付け補助具Ｂを一組としたことを特徴とするマッサージ器。
【発明の詳細な説明】
【技術分野】
【０００１】  本発明は、背中や腰などのからだのつぼの１ヶ所に本器の先端部をあて、自分の体重を自在に調節して指圧を行う、マッサージ器に関するものである。
【背景技術】
【０００２】  従来、指圧部分にバネやゴムなどを使用していたり、材質自体に弾力性のあるものを使用していて、高さ調節ができず指圧部分が一対以上になっている。
【発明の開示】
【発明が解決しようとする課題】
【０００３】  そのために、次のような問題点があった。
（イ）底面積が狭くて不安定であった。
（ロ）指圧部が対になっていると、圧力が分散されて指圧したい部分だけに強い力が与えられなかった。
（ハ）指圧部分にバネやゴムを使用し弾力性を持たせているので、自分の力をうまく伝えにくかった。
（ニ）高さが低いので、強力な指圧力が得られなかった。
（ホ）高さ調節ができなかった。
（ヘ）ベッドや布団などの柔らかなものの上で使用できなかった。
本発明は、以上の問題点を解決するためになされたものである。
【課題を解決するための手段】
【０００４】  上記問題点を解決するため、本発明は側面が梯形状の基台１の上に、基台１に対応する梯形状の中台２を嵌合部１ａを介して積み重ね、中台２の上に指圧部４を頂部に設けた上台３を嵌合部２ａを介して積み重ねたマッサージ器Ａと、これとは別に設けた取り付け補助具Ｂを一組としたものである。
【発明の効果】
【０００５】  （イ）底面積が広くなり安定性がよくなる。
（ロ）指圧部を１ケ所にすることにより、圧力が分散されることなく強力な指圧力が一点に集中して生じる。
（ハ）指圧部先端を固定することにより、指圧力が弱まることがなく、自分の体重で力加減をうまく調節して、自在にマッサージをすることができる。
（ニ）形を四角錐形にすることにより高さが生まれ、より強力な指圧力を得られる。
（ホ）図１のように、高さを調節できるので、からだの大きさや部分、凝りの症状に応じたマッサージを行うことができる。
（ヘ）図４の取り付け補助具Ｂを取り付けることにより、イスなどにもセットすることができ、デスクワークの合間にイスに座ったままマッサージをすることもできる。
以上本発明は、本体すべてに硬材を使用し、底面積も広く先端部に弾力性がなく固定されているので安定性があり、自分のからだの微細な動きまでもがダイレクトに器具の先端部に伝わり、つぼを探りあてマッサージを行うのには非常にすぐれた構造である。しかも高さがあるので、今までにない強力な指圧力が生まれる。
【発明を実施するための最良の形態】
【０００６】  以下、本発明の実施の形態を説明する。
（イ）側面が梯形状の上台３の上部に、指圧部４を設ける。側面が梯形状の中台２が接合できるように上台３の下部に嵌合受孔ｃを設ける。
（ロ）中台２の上部に、上台３が接合できるように嵌合部２ａを設け、側面が梯形状の基台１が接合できるように下部に嵌合受孔ｂを設ける。
（ハ）基台１の上部に中台２が接合できるように嵌合部１ａ設け、取り付け補助具が取り付けられるように下部に嵌合受孔ａを設ける。
本発明は以上のような構造で、これを使用するときは、からだの大きさや指圧部分の凝りに応じて上台の下に中台、基台を接合し高さを調節する。またイスなどに固定するときには、取り付け補助具Ｂをマッサージ器Ａに取り付ける。
【図面の簡単な説明】
【０００７】
【図１】本発明の分解斜視図
【図２】本発明の斜視図
【図３】本発明の縦断面図
【図４】本の取り付け補助具の斜視図
【図５】本発明の使用状態を示す側面図
【図６】本発明のその他の使用状態を示す側面図
【符号の説明】
【０００８】  １  基台
２  中台
３  上台
４  指圧部
５  スライド固定ネジ
６  取り付け部
【図１】
2006167392.tif 000003
【図２】
2006167392.tif 000004
【図３】
2006167392.tif 000005
【図４】
2006167392.tif 000006
【図５】
2006167392.tif 000007
【図６】
2006167392.tif 000008
(57)【要約】      （修正有）【課題】本発明は、台座の底面にすべり止めを設け、台座の表面に凸起部を２ヵ所受けた土踏まずつぼ押具で、腰掛姿勢のときの足下、就寝するときの足下、風呂に入っているときの足下、立っているときの足下などで使用する、土踏まずつぼ押具を提供する。【解決手段】台座１の底面にすべり止め３を設け、台座１の表面に凸起部２ａ、凸起部２ｂを設けたことを特徴とする。【選択図】図１
2006167373.tif 000002
【特許請求の範囲】
【請求項１】
台座（１）の底面にすべり止め（３）を設け、台座（１）の表面に凸起部（２ａ）、凸起部（２ｂ）を設けた土踏まずつぼ押具。
【発明の詳細な説明】
【技術分野】
【０００１】  本発明は、台座の底面にすべり止めを設け、台座の表面に凸起部を２ヵ所設けた土踏まずつぼ押具で、腰掛姿勢のときの足下、就寝するときの足下、風呂に入っているときの足下、立っているときの足下などで使用する、土踏まずつぼ押具に関するものである。
【背景技術】
【０００２】  従来、竹踏、サンダル等の表面の全体に凹凸部を設け、上から足踏みし身体を動かす器具があった。
【発明の開示】
【発明が解決しようとする課題】
【０００３】  そのために次のような問題点があった。
つねに身体を動かしているときだけ役に立った。
本発明はこれらの問題点を解決するためになされたものである。
【問題を解決するための手段】
【０００４】  台座（１）の底面にすべり止め（３）を設ける。
台座（１）の表面に凸起部（２ａ）、凸起部（２ｂ）を設ける。
以上のような構成よりなる、土踏まずつぼ押具である。
【発明の効果】
【０００５】  腰掛姿の足下、就寝するときの足下、風呂に入っているときの足下、立ち姿の足下が静止の常態で、同じ効果がえられることである。
【発明を実施するための最良の形態】
【０００６】  以下本発明の実施の形態について説明する。
台座（１）の底部にすべり止め（３）を設ける。
上部に台形の凸起部（２ａ）、凸起部（２ｂ）を設ける。
スベリ止め（３）は、マジックテープ（登録商標）でもよい。
本発明は以上のような構成で、これを使用するときは、腰掛姿勢のときの足下、風呂、入浴するときの足下、立姿の足下に置いて、凸起部の上に、土踏まずの所を上に重ねて使用する。
就寝するときは、凸起部（２ａ）、凸起部（２ｂ）を切離し、ベルトで足下に装着して使用する。
その他の実施例は、靴、サンダル、スリッパ等の土踏まずの部位に突起部を設けても同じような効果がえられる。
【図面の簡単な説明】
【０００７】
【図１】  本発明の斜視図である。
【図２】  本発明の一部を切り欠いた左側の側面の断面図である。
【図３】  本発明の他の実施例を示した斜視図である。
【図４】  本発明の他の実施例を示した斜視図である。
【符号の説明】
【０００８】    １    台座及びベルト
２ａ  凸起部
２ｂ  凸起部
３    すべり止め及びマジックテープ
【図１】
2006167373.tif 000003
【図２】
2006167373.tif 000004
【図３】
2006167373.tif 000005
【図４】
2006167373.tif 000006
(57)【要約】【課題】従来はハミガキブラシは長い柄が付いているが、柄があるために持ち運びに不便でのあり、外出先での食事後の従来ハミガキブラシでのハミガキはすこし、気がひけるものです。小さい子供さんのハミガキするのも、従来ハミガキブラシでは微妙な動きがむずかしい。そこで、ハミガキブラシを指リングに取り付け、指を従来ハミガキブラシの柄のかわりにするハミガキブラシの付いた指リングを提供する。【解決手段】指リング（１）にハミガキブラシ（２）を設けることを特徴とする。【選択図】図１
2006167380.tif 000002
【特許請求の範囲】
【請求項１】
ハミガキブラシを付けた指リング
【発明の詳細な説明】
【技術的分野】
【０００１】この発明は、ハミガキブラシを付けた指リングに関するものである。
【背景技術】
【０００２】従来、ハミガキブラシは長い柄があり、長い柄を持って、磨くのが基本となっている。
【発明の開示】
【発明が解決しようとする課題】
【０００３】これはつぎのような問題があった。
長い柄があるため持ち運びが、不便であり、外出先での食事後のハミガキも、気後れする。また、小さい子供さんのハミガキのとき、介護を必要とする方のハミガキのとき、柄の付いたハミガキブラシでは、非常に取り扱いがむずかしいものである。
本発明は、以上のような欠点をなくすためになされたものである。
【課題を解決するための手段】
【０００４】ハミガキブラシを指リングに取り付ける。
以上の構成よりなるハミガキブラシを付けた指リングである。
【発明の効果】
【０００５】ハミガキブラシが指リングについているため、手の指がハミガキブラシの柄のかわりになるため、非常に、コンパクトになり、持ち運びが便利になり、場所を取らない。デリケートな口の内部でも、指がハミガキブラシの柄のかわりのため、小さい子供さん、補助を必要するかたのハミガキと非常に役立つ。
【発明を実施するための最良の形態】
【０００６】以下、本発明の実施例について説明する。
指リング（１）に、ハミガキブラシ（２）を設ける。
本発明は、以上のような構造で、これを使用するときは、指リングに指を入れるため、指がハミガキブラシの柄として一体となるため微妙な動きもできる。
【図面の簡単な説明】
【０００７】
【図１】本発明の斜視図
【図２】本発明の側面図
【符号の説明】
【０００８】（１）指リング
（２）ハミガキブラシ
【図１】
2006167380.tif 000003
【図２】
2006167380.tif 000004
(57)【要約】【課題】利便性に富む便座清浄・殺菌機能を有する便器蓋を提供する。【解決手段】便器蓋下面に、細孔を連設した環状の管体を、細孔を下部に位置させて取り付けたことを特徴とする。【選択図】  図６
2006167375.tif 000002
【特許請求の範囲】
【請求項１】
便器蓋下面に、細孔を連設した環状の管体を、細孔を下部に位置させて取り付けたことを特徴とする便座洗浄スチーム噴射機能付き便器蓋。
【発明の詳細な説明】
【技術分野】
【０００１】  この発明は、便器蓋から高温のスチームを噴射することにより、便座表面の洗浄と殺菌を行うことのできる、新規な便器蓋に関する。
【背景技術】
【０００２】  従来より、洋式便器（以下、単に便器と称する）には腰掛ける部分である便座とその上に位置する便器蓋が備わっているが、本発明にて示すようにスチーム噴射機能を有する便器蓋は見当たらない。
【発明の開示】
【発明が解決しようとする課題】
【０００３】  便器は以前より多用され、家庭のみならず公共トイレなどにも広く利用されている。
公共トイレやホテルなどの便器は不特定多数が利用するため、その衛生面が重視され、便座用シートペーパーや便座拭き取り用の物品が市販されている。しかし、使用方法が面倒だったり常時その物品を用意しておかねばならないなどの問題があった。
本発明は、以上のような従来からの便座を衛生的に保つ手段に関わる課題を解決するために発明されたもので、スチーム噴射を行うことにより便座表面の洗浄と殺菌を可能とする有用なる物品を提供することを目的としたものである。
【課題を解決するための手段】
【０００４】  課題を解決する手段として本発明は、便器蓋下面に、複数個の細孔を有する管体を取り付けてその主要部を構成した。すなわち、便器蓋下面に、細孔を連設した環状の管体を、細孔を下部に位置させて取り付ける。
本発明は以上の構成よりなる便座洗浄スチーム噴射機能付き便器蓋である。
【発明の効果】
【０００５】  本発明によれば、便座の直上に便器蓋を位置させ、スイッチ操作にて細孔より高温スチームを噴射して便座面を洗浄・殺菌することができ、従来法のような保管物品の必要が無く、スッキリとした清潔感の得られる有用なる物品を提供することができる。また、便座面を暖める効果があるため、使用感も良好である。
【発明を実施するための最良の形態】
【０００６】  以下、本発明の実施形態について説明する。
図において、１は便器蓋で、合成樹脂にて形成される市販品である。２は管体で、便器蓋下面に環状に設けられ、この管体側面には適宜間隔にて複数個の細孔３が全周にわたって穿設される。４は合成樹脂製の管体保持体で、管体周囲を囲むように便器蓋下面に固着される。この管体保持体の中央は図６にて示すようにＶ形に切り取られたＶ溝５が形成され、このＶ溝の底に管体が細孔を露出させて位置している。また、管体の一部には軟質な接続配管６が接続され、この接続配管の他方はスチーム発生器（図示略）に接続される。
７は便器蓋上面に設けられるスイッチで、スチーム発生器に結線接続される。（図示略）
本発明を使用するには、まず便器上に便座を位置させ、その上に便器蓋を位置させ、スイッチを押す。このスイッチ操作にてスチーム発生器にて発生したスチームは管体内に流入し、その圧力にて細孔からスチームが噴射される。細孔の下方にはＶ溝が位置するので噴射されたスチームは所定角度範囲内にて下方へ移動して便座表面に当たり、汚れを除去するとともに加熱し、洗浄・殺菌が行われる。所定時間経過後に便器蓋を持ち上げ、清潔な便座面に腰掛けて用を足すことができる。【０００７】  スチーム発生器は本発明の目的に沿うものであればその機構・構造は自由である。
例えば、ヒーターを内蔵した箱体内に水を入れて沸点直前まで温めておき、前記スイッチ操作にて通電量を増加させて加熱量を増やしてスチーム化するものや、ヒーターを内蔵したプレート面にスイッチ操作にて水を吹きかけてスチーム化するもの、あるいは水を貯留したタンクとヒーターを便器蓋に取り付けて配管し、蓋を傾けてタンク内の水をヒーターに接触させてスチーム化するなどの手段が考えられる。なお、スチーム発生器には通電されるとともに、必要に応じて管体へのスチーム供給ＯＮ・ＯＦＦのための開閉弁、蒸気圧過上昇を防ぐための安全弁、スチーム供給時間制御のためのタイマー等が装備される。
本発明の内容については以上記したが、本発明は便座へのスチーム噴射にて便座面の清浄・殺菌が可能なところにその特徴を有し、従来法のようにシートペーパーや拭き取り用物品が不要であり、簡単な操作にて繰り返し使用できるものである。
なお、管体径、細孔径、細孔数、便座面から細孔までの距離、Ｖ溝の角度、接続配管の位置は既述の例に限らず、適宜に選択して用いてもよい。便器蓋の図においては取り付け部分を一部省略表現している。以上のごとく、本発明にて使用に便利なる便座洗浄スチーム噴射機能を有する新規かつ有用なる便器蓋を得ることができる。
【図面の簡単な説明】
【０００８】
【図１】  本発明の平面図
【図２】  本発明の正面図
【図３】  本発明の左側面図
【図４】  本発明の底面図
【図５】  本発明の要部構造拡大説明図（Ａ部分）
【図６】  本発明の要部構造拡大説明図
【図７】  本発明使用の便器平面図（便器蓋下位置・一部略）
【図８】  本発明使用の便器正面図（便器蓋上位置・一部略）
【図９】  便器蓋の開閉説明図
【符号の説明】
【０００９】  １  便器蓋
２  管体
３  細孔
４  管体保持体
５  Ｖ溝
６  接続配管
７  スイッチ
８  便座
【図１】
2006167375.tif 000003
【図２】
2006167375.tif 000004
【図３】
2006167375.tif 000005
【図４】
2006167375.tif 000006
【図５】
2006167375.tif 000007
【図６】
2006167375.tif 000008
【図７】
2006167375.tif 000009
【図８】
2006167375.tif 000010
【図９】
2006167375.tif 000011
(57)【要約】【課題】  一人一人異なる顔面形状の加齢によりできた額と目の周りのしわ部を狙い、支持体に取り付けた複数の磁石の位置と加圧調整をして当て、しわ部を目立たなく改善可能とする。【解決手段】  半円状の弾性材の支持体１の裏に顔面の額のしわを狙う複数のスライド具２をセット、クッション材３を挟んで磁石４を位置調整して当て、支持体１からボルト５、９、１３で固定した金属棒６、１０、１４を持ち出し、先端にボルト８、１２、１６で取り付けた磁石７、１１、１５を眉間のしわ部、左右目の下のしわ部、左右目じりのしわ部を狙って、金属棒６、１０、１４を個人によって異なる顔面形状のしわ部に合わせて曲げ調整して当て、支持体１の右奥端部１７からゴムバンド１８を持ち出し、先端にマジックテープオス１９を支持材１の左奥端部２０に取り付けたマジックテープメス２１に、複数の磁石４、７、１１、１５が顔面に適度にあたるように止める。【選択図】  図１
2006167378.tif 000002
【特許請求の範囲】
【請求項１】
支持体に複数の磁石を保持し、複数の磁石を顔面のしわ部に当てる位置調整手段と加圧調整手段を有してなる磁石美容具。
【発明の詳細な説明】
【技術分野】
【０００１】  本発明は磁石美容具に関する。
【背景技術】
【０００２】  従来、磁石を人体に利用したものは、磁石を身体に当てることで腰、肩、ひざ、腕等の血流をうながし健康を保持、促進させる物が多かった。
【発明の開示】
【発明が解決しようとする課題】
【０００３】  しかしながら、加齢により顔面の目の周りにできたしわを磁石により改善する美容具はなかった。
【課題を解決するための手段】
【０００４】  本発明は支持体に磁石を複数保持させ、一人一人異なる顔面形状の額のしわ部及び、目の周りのしわ部を狙って、磁石の位置調整と加圧調整を可能としたものである。
【発明の効果】
【０００５】  本発明は顔面のしわ部に磁石を当てることで磁気波の浸透により皮膚細胞を活性化させ、血行を促進、疲労物質を排除してしわ部を改善するものである。
【発明を実施するための最良の形態．実施例】
【０００６】  本発明の磁石美容具は、図１に示されるように、額部から左右の耳に掛ける半円形状の支持体１の正面の裏部に複数の位置調整可能なスライド具２を保持し、クッション材３を挟んで額のしわを狙う磁石４を保持し、支持体１の中央部からボルト５で固定した自在に曲げ可能な金属棒６を持ち出し、先端に左右の眉間のしわを狙う磁石７をボルト８で固定、支持体１の中央の左右２か所からボルト９で固定した自在に曲げ可能な長めの金属棒１０を持ち出し、先端部に左右の目の下のしわを狙う磁石１１をボルト１２で固定、支持体１の中央の左右２か所の最外部側からボルト１３で固定した自在に曲げ可能な金属棒１４を持ち出し、先端部に左右の目じりのしわを狙う磁石１５をボルト１６で固定し、顔面の形状に合わせて額のしわを狙い複数の磁石４を基準とし当て、金属棒６、１０、１４の曲げ調整を行い、磁石７、１１、１５を眉間、左右の目の下、左右の目じりの各しわ部に当て、支持体１の右奥端部１７から固着したゴムバンド１８を持ち出し端部にマジックテープのオス１９を取り付け、支持体１の左奥端部２０に取り付けたマジックテープメス２１に磁石４、７、１１、１５が各しわ部に適度に当たるように調整しながら後頭部を回して止める。
【図面の簡単な説明】
【図１】  本発明に係る磁石美容具の概観図である。
【符号の説明】
１  支持体
２  スライド具
３  クッション材
４  磁石
５  ボルト
６  金属棒
７  磁石
８  ボルト
９  ボルト
１０  金属棒
１１  磁石
１２  ボルト
１３  ボルト
１４  金属棒
１５  磁石
１６  ボルト
１７  右奥端部
１８  ゴムバンド
１９  マジックテープオス
２０  左奥端部
２１  マジックテープメス
【図１】
2006167378.tif 000003
(57)【要約】      （修正有）【課題】寝返る、おすわりするなど動きの活発な赤ちゃんのオムツや衣服を交換するための道具である。この道具を使用し赤ちゃんを固定しておくことで、容易にオムツ換えが可能となり母親の育児の負担を軽減するオムツ交換台の提供。【解決手段】丸角（１）の箱体（２）の上蓋（３）と下蓋（４）を開き、腰ベルト（５）を固定孔（８）を通し、ベルト通し穴（９）から出したものに保護パット（６）を取り付ける。また、使用時に上蓋を開き、箱内から腰ベルトを取り出し、裏側を向けて赤ちゃんを乗せて、オムツを交換する。【選択図】図３
2006167379.tif 000002
【特許請求の範囲】
【請求項１】
丸角（１）の箱体（２）の上蓋（３）と下蓋（４）を開き、腰ベルト（５）を固定孔（８）を通し、ベルト通し穴（９）から出したものに保護パット（６）を取り付けた、赤ちゃんを寝かせて固定するオムツ交換台。
【発明の詳細な説明】
【発明の詳細な説明】
【技術分野】
【０００１】  この発明は、オムツや衣服を容易に交換するための、寝返り、はいはい、おすわりを行うようになった赤ちゃんに関するものである。
【発明が解決しようとする課題】
【０００２】  イ  自宅でオムツを交換する際、赤ちゃんが便の処理をしている最中に床に座りこんでしまう。
ロ  風呂上りに衣服を着せる際、赤ちゃんが衣服のボタンをはめている途中ではいはいを始めてしまう。
ハ  オムツかぶれの際、赤ちゃんに薬を塗ろうとしても、はいはいなどの動きが速く塗ることが難しい。
本発明は、以上の問題を解決するためになされた。
【課題を解決するための手段】
【０００３】  丸角（１）の箱体（２）の上蓋（３）と下蓋（４）を開き、腰ベルト（５）を固定孔（８）を通し、ベルト通し穴（９）から出したものに保護パット（６）を取り付ける。
本発明は、以上の構成よりなるオムツ交換台である。
【発明を実施するための最良の形態】
【０００４】以下、本発明の実施の形態を説明する。
イ  プラスチックなどの軽い素材を用い、丸角（１）の上蓋（３）と下蓋（４）を設け、箱体（２）とする。
ロ  下蓋（４）底面に固定孔（８）を二つ設け、下蓋（４）左右側面にベルト通し穴（９）を設け、腰ベルト（５）を通し、保護パット（６）を取り付ける。
本発明は、以上の構成よりなる。
本発明は、使用時上蓋（３）を開き、箱内から腰ベルト（５）を取り出し、裏側をむけて赤ちゃんを乗せ、腰ベルト（５）で固定しオムツを換える。軽くコンパクトにし、携帯に便利にしてある。また、箱体（２）のため薬、オムツ等赤ちゃんのオムツ交換時に必要な小物を収納できる。
風呂上りなどで、裸の赤ちゃんに使用する際は、腰ベルト（５）を固定した後、留め具（７）の上に保護パット（６）を被せる。腰ベルト（５）と留め具（７）が赤ちゃんの肌に食い込むことなく、快適に使用できるようにしてある。
【発明の効果】
【０００５】  本発明を使用することによって、活発な赤ちゃんを持つ母親が容易にオムツ、衣服換え等を行うことで、ストレスを解消し、楽しく子育てすることができる。また、携帯に便利なため、親子で行動の幅も広げられる。
【図面の簡単な説明】
【図１】  本発明の斜視図（使用しない状態）
【図２】  本発明の斜視図（使用する場合・中面）
【図３】  本発明の斜視図（使用状態・裏面）
【符号の説明】
１丸角
２箱体
３上蓋
４下蓋
５腰ベルト
６保護パット
７止め具
８固定孔
９ベルト通し穴
【図１】
2006167379.tif 000003
【図２】
2006167379.tif 000004
【図３】
2006167379.tif 000005
(57)【要約】【課題】毛染めの際耳や首の汚れを防ぐために使用でき、毛染め後はカラーリングキャップとして使用できる顎用ゴムひもつきキャップを提供する。【解決手段】キャップに顎用ゴムひも２をつけキャップビニール部分１を大きくすることにより毛染めの際の汚れを防止できるようにし、毛染め後のキャップの装着をを容易にする【選択図】図１
2006167372.tif 000002
【特許請求の範囲】
【請求項１】
キャップのビニール部分を大きくし顎用ゴムひもをつけることにより、それが毛染めの際の耳カバーやケープの代わりをして、耳や首が汚れるのを防ぎ、毛染めの後はカラーリングキャップとして使用できる、前後を見分けるための顎ゴムひもつき毛染め用キャップ
【発明の詳細な説明】
【発明の詳細な説明】
【発明に属する技術的分野】
【０００１】本発明は毛染めの際の耳や首の汚れを防ぎ、さらに毛染め後は簡単にカラーリングキャップとして装着できるように、キャップのビニール部分を大きくし顎用ゴムひもをつけ、キャップの前後を見分ける印をつけたものである
【背景技術】
【０００２】従来のキャップは汚れ防止を目的として装着するものではないため、ビニール部分はキャップとして必要な大きさしかなく、又ゴムひももついていなかった
【発明が解決しようとする課題】
【０００３】従来は毛染めの際、耳カバーやケープを別々に装着しなければならなかった。  又ケープでは首筋に付着する汚れを防止することができていなかった。  さらに、毛染め後にカラーリングキャップを装着するので、髪の毛を手際よくキャップの中に入れることが極めて難しかった。
本発明はこの課題を解消するためになされたものである。
【課題を解決するための手段】
【０００４】キャップのビニール部分１を大きくし、顎用ゴムひも２を付けることにより、毛染めの際耳カバーとケープの代わりに汚れを防げるようにした。  毛染めの後は、キャップ部分３を引っ張り上げて簡単にキャップをかぶることができるようにした。
【発明の実施形態】
【０００５】以下、本発明の実施形態について説明する。
（イ）．キャップのビニール部分をケープの代わりになる程度まで大きくする。
（ロ）．キャップに顎用ゴムひも２をつける。
（ハ）．キャップの前後を見分ける印４をつける。
【発明の効果】
【０００６】毛染めの際、耳の汚れや首・首筋の汚れを防ぐことができる。しかも装着の際、印がついているので前後の見分けが簡単にできる。また毛染めの後、カラーリングキャップとしての装着が容易にできる。
【図面の簡単な説明】
【０００７】
【図１】本発明の正面図である。
【図２】本発明の毛染めの際の着用状態の図である。
【図３】本発明の、毛染め後カラーリングキャップとしての着用状態の図である。
【符号の説明】
【０００８】１  キャップビニール部分
２  顎用ゴムひも
３  キャップゴム部分
４  キャップ前後見分け印
【図１】
2006167372.tif 000003
【図２】
2006167372.tif 000004
【図３】
2006167372.tif 000005
(57)【要約】【課題】  手長猿の縫いぐるみ人形に自由に動く手の機能をくわえ、その変化状態を占いに結び付ける人形遊びを提供する。【解決手段】  人形の全方位に回転する手が顔面部や胴部のマグネットに付着して様々な手振り表現をし、これを占い遊びと結びつける手長猿縫いぐるみ人形。【選択図】  図１
2006167390.tif 000002
【特許請求の範囲】
【請求項１】
頭部、胴体部の一部にマグネット板を設け、磁性のある粒子を内包した全方位に回転する長い手を組み合わせた手長猿の縫いぐるみ人形。
【請求項２】
請求項１の不規則にマグネットに張り付く手が表現する手振りを、占い判断によって意味付けさせる手長猿の縫いぐるみ人形。
【発明の詳細な説明】
【技術分野】
【０００１】  本発明は、縫いぐるみ人形の一部にマグネットと磁性素材を設け、その効果から生まれる様々な動きと占い遊びを組み合わせた手長猿の人形に関するものである。
【背景技術】
【０００２】  従来、縫いぐるみ人形は、一定の型や姿に固定されたものが主体で、動きや変化に要点を置いたものではない。また、人形の創り出す動きに特別な意味付けをする事を目的としていない。
【発明の開示】
【発明が解決しようとする課題】
【０００３】  そこで人形を単なる置物ではなく、動きや変化する機能を持たせた縫いみにすることを試みた。また、動きや変化にも意味付けをしてメッセージを伝えることによって、従来の縫いぐるみ人形の購買動機を広げることを試みた。
本発明は以上の課題を解決しようとするものである。
【課題を解決するための手段】
【０００４】  頭部、胴体部の一部にマグネットを設け、磁性のある粒子を内包した全方位に回転する長い手を組み合わせる。また不規則にマグネットに張り付く手が表現する手振りを占い判断によってによって意味付けさせる手長猿の縫いぐるみ人形とした。
【発明の効果】
【０００５】  持ち上げたり、振ったり、ベッドやソファに落したりすることで、人形が様々な手振り表現をする。これらは一つ一つ意味付けされ、運勢や今日の行動などに指針をあたえる占い遊びとなる。
従来、固定的、無変化であった縫いぐるみ人形に新たな動きを加え新しい人形遊びを提案している。
【発明を実施するための最良の形態】
【０００６】  以下、本発明の実施の形態を説明する。
（イ）縫いぐるみ人形の顔面部（１）、胴体部（２）の一部に強力なマグネット効果を持つ素材を設ける。
（ロ）腕部（３）は、柔軟性と一定の重量を持たせるため磁性のある金属粒子（４）を用い、自由な屈折を促すため中央部で分割内包させ長い手を構成する。
（ハ）腕部（３）と胴体部（２）の接続部分（５）は球体接合を用い全方位の回転が可能にする。
本発明は、以上の構成よりなっている。
本発明を使用するときは、持ち上げた手の上下動や回転、振動、落下などの動きにより多種の変化や表現を誘発させることが可能である。なお、そのことに関して、図４において実施例を説明する。あらかじめ、手長猿の縫いぐるみ人形のイラストを表示した用紙ａに、人形の手振り、動作を示したイラストｂを表示し、それらが意味する動作を上部ｃに示し、下部にはその意味を記載した文章ｄをもうける。用紙ａに記載した手長猿のイラストｂと文章ｄは一例であり、時代、世代とともに表現内容が変化することは当然である。本図では中高生の若者言葉が使用されている。また、このイラストで表現される様々なポーズは、占い遊びとして活用できるものである。さらに、人形を自由に自己の意志でポーズをとらせることが出来るので、単なる置物にならず変化性のある置物人形として使用することができる。
【図面の簡単な説明】
【０００７】
【図１】  本発明の全体図
【図２】  腕部の図
【図３】  腕部と胴部の接続個所の図
【図４】  手振りパターン１０例と意味付けの図
【符号の説明】
【０００８】  １  顔面部（マグネットを設けてある）
２  胴体部（マグネットを設けてある）
３  腕部
４  金属粒子
５  接続部
【図１】
2006167390.tif 000003
【図２】
2006167390.tif 000004
【図３】
2006167390.tif 000005
【図４】
2006167390.tif 000006
(57)【要約】【課題】新幹線に乗車し、禁煙席に座ることが出来ず、やむおえず喫煙席に座った時に、たばこの煙がいやでガーゼハンカチで口と鼻を覆っていたのですが、乗っている約２時間の間、手で押さえているのがしんどく「このハンカチをマスクのように留める器具があればいいのになあ」と思ったところから、ガーゼ部分とゴム部分を分けることを思いつきました。【解決手段】ゴムの両端の部分にガーゼ取り付け器具を付けることによって、マスクの布部分やゴム器具部を色々取り替えることができ、ファッション性にも富むものになり、また布部分にはガーゼに限らず厚手のタオル地などを挟んで利用できるために、風邪や花粉対策、災害時など色々な面で役に立つマスクができる。【選択図】  図１
2006167389.tif 000002
【特許請求の範囲】
【請求項１】
マスクの布部分とゴム部分を分離させ、布部分をゴムの先に器具をつけて挟む形にしました。
【発明の詳細な説明】
【技術分野】
【０００１】本発明はこの道具さえ持っていれば、手持ちのガーゼハンカチやハンカチなどで、マスクを作ることが出来るというものです。
【背景技術】
【０００２】従来のマスクは、ガーゼとゴム部分が一体化したマスクや紙製のマスクしかなかった。
【発明の開示】
【発明が解決しようとする課題】
【０００３】従来のマスクは白いガーゼに白いゴムが付いているもので、若い人達などは、風邪をひいても、かっこ悪いなどの理由からなかなか付けたがらなかった。また、学校給食でも給食係にはマスク着用が義務ずけられているが、ゴムが伸びて、マスクを口と鼻に当てている子供は少なく、あごの辺りでしている子が多い。また、急にマスクが必要な状況になったり、突然の災害にあった時には、ハンカチやタオルで押さえるなどの方法しかなかった。本発明はこれらの課題を解消するために成されたものです。
【課題を解決するための手段】
【０００４】マスクの布部分を器具付きゴムで挟んでマスクを作るようにした。
【発明の効果】
【０００５】ゴムや器具を、例えばヒョウ柄やキャラクター物など可愛い形にすることによって、マスクが、かっこ悪いなどのイメージがなくなり、着けて可愛い物、おしゃれな物というイメージになります。布部分にはガーゼを挟んで使用しますが、どんな布をは挟むことが出来るのでマスクの使用目的によって布の部分はガーゼ地やタオル地、また特殊な布など色々なものを挟むことが出来ます。また、この布を挟む道具を携帯していれば突然マスクが必要な事態になっても、マスクを作ることができます。
以下、本発明の実施の形態について説明する。
（イ）従来のマスクは横部分が輪になっていて、上下部が、ひらひらとなっているが、本発明は上下部が輪になっていて横部分がひらひらとなっているので、図２のように一番下のガーゼは挟まないで、器具が肌に触れるのを避けることができる。
【実施例】
【０００６】図３は留め具の例。
図４は布の折り方の例。
【図面の簡単な説明】
【０００７】
【図１】本発明の正面図である。
【図２】本発明の断面図である。
【符号の説明】
【０００８】１  ガーゼ部分
２  取り付け器具
３  ゴム
【図１】
2006167389.tif 000003
【図２】
2006167389.tif 000004
【図３】
2006167389.tif 000005
【図４】
2006167389.tif 000006
【図５】
2006167389.tif 000007
【手続補正書】
【提出日】平成17年2月28日(2005.2.28)
【手続補正１】
【補正対象書類名】明細書
【補正対象項目名】０００７
【補正方法】変更
【補正の内容】
【０００７】
【図１】    本発明の正面図である。
【図２】    本発明の断面図である。
【図３】    ガーゼ部分取り付け器具の柄の一例である。
【図４】    本発明を使用する時のガーゼの折り方の一例である。
【図５】    本発明を使用した時の図である。
(57)【要約】      （修正有）【課題】  作業をより簡易にし、高齢者や手に障害をもつ人でも意欲的にぎょうざ作りに取り組むことができ、また一般主婦の作業負担を取り除くぎょうざの皮水塗布器を提供する。【解決手段】  ぎょうざの皮と同じかやや大きめのリング状の台座の底面に、スポンジのような海綿状の多孔構造を有する保水可能な保水部を設け、台座には支持棒を設け持ちやすくする。保水部に水分を含ませて、広げて置いたぎょうざの皮の外周端面に上から台座をあてがうことによりぎょうざの皮の端面を濡らすことができる。【選択図】  図１
2006167388.tif 000002
【特許請求の範囲】
【請求項１】
リング状の台座（１）と該台座を支持する支持棒（２）と該台座と該支持棒を連結する支持脚（３）とからなり、台座にはスポンジのような海綿状の多孔構造を有する保水可能な保水部（４）を台座底面に設けたことを特徴とするぎょうざの皮水塗布器。
【発明の詳細な説明】
【発明の詳細な説明】
【技術分野】
【０００１】  この発明は、一般家庭等において、ぎょうざを作る場合ぎょうざの皮で具を包む際に行うぎょうざの皮の端面に水を指で塗布する作業をより簡易にし、高齢者や手に障害をもつ人でも意欲的にぎょうざ作りに取り組むことができ、また一般主婦の作業負担を取り除くことを目的としたぎょうざの皮水塗布器に関するものである。
【背景技術】
【０００２】  従来より、ぎょうざを家庭で作る際、ぎょうざの皮を小麦粉から練り上げて作ることは希であり、通常市販の皮を購入して使用する。市販のぎょうざの皮の場合、皮の周りをその都度水で濡らして具を包む必要がある。指先を水で濡らしながら一枚一枚皮をくっつけていく作業は時間を惜しむ主婦にとっては以外と手間の掛かる作業である。また、該作業は、高齢者にとっては指先の作業であるので手指に負担を伴うものであり、手に障害を持つ人にとっては言うまでもなく困難な工程となる。
【発明の開示】
【発明が解決しようとする課題】
【０００３】  この様に、日常家庭等においてぎょうざを作る場合、皮の一枚一枚に水を付けて具を包み込む作業は大変な時間と労力を必要とする。まして、この料理の性格上、通常複数個つくるもので、子供がいる家族では言うまでもなく、大家族では相当の個数になることは必然である。【０００４】  ある料理研究家は、濡れ布巾の上にぎょうざの皮を並べて置き、皮を湿らせてから包み込むことを提案しているが、そのためには広いスペースの調理台が必要であり、一般の家庭、または調理台そのものが無い家庭においては流し台等の上を利用するしかないということになる。本発明は、これらの課題を解決するためになされたものである。
【課題を解決するための手段】
【０００５】  本発明は、上記課題を解決するための手段として以下の構成を成している。
リング状の台座（１）と該台座を支持する支持棒（２）と該台座と該支持棒を連結する支持脚（３）とからなり、台座にはスポンジのような海綿状の多孔構造を有する保水可能な保水部（４）を台座底面に設けたぎょうざの皮水塗布器であり、該本体の水分を含んだ保水部を広げて置いたぎょうざの皮の外周端面に上からあてがうことによりぎょうざ作りの手間の掛かる工程を簡易に行うものである。
【発明の効果】
【０００６】  本発明は、主に家庭でのぎょうざ作りに欠かすことのできない工程である、ぎょうざの具を一枚一枚ぎょうざの皮で包む際に行う、ぎょうざの皮の端辺を主に指先を使い濡らすという作業を簡易に行い、時間の掛かる工程を短時間で確実に行うことを可能にするためのものである。また、指先の巧緻性が低下している高齢者においては、本発明を使用することによりぎょうざ作りが楽に行える。さらに手に障害をもつ人たちにとっても困難な作業と考えられていた工程を自分で行えるということで、料理を作る楽しみや生活そのものの意欲を向上させるという効果を得ることができる。
【発明を実施するための最良の形態】
【０００７】  図１〜図４は本発明の実施形態を示すものである。図１において、（１）が台座、（２）が支持棒、（３）が支持脚、（４）が保水部であり、（４）の保水部に水分を適宜含ませておき、保水部（４）を広げて置いたぎょうざの皮の外周と台座（１）外周を合わせるようにぎょうざの皮の上に軽く押印するように接触させ、ぎょうざの具を包むための前工程であるぎょうざの皮の端辺を濡らすことを可能にしたものである。【０００８】台座（１）の直径は、一般に市販されているぎょうざの皮の直径が約９〜９．５ｃｍであるので、該ぎょうざの皮をカバーする大きさが必要であると共に、保水部（４）の幅がぎょうざの皮の端面を外周から内側に少なくても約１ｃｍ程度接触させる必要がある。図２は、本発明の底面を表す斜視図である。台座（１）底面の保水部（４）は、海綿状の多孔構造を有する保水可能なスポンジ等で構成されており、適宜水分を含ませて使用する。
【実施例】
【０００９】  図３は本発明の実施例を示す斜視図である。支持棒（２）を手（６）で保持し、水分を含ませてある台座（１）底面の保水部（４）を広げて置いたぎょうざの皮（５）の外周と台座（１）外周を合わせるようにぎょうざの皮の上に軽く押印するように接触させぎょうざの皮（５）の外周を濡らす。尚、支持棒（２）は、図面上で棒状に描かれているが、当該支持棒（２）に関しては、持ちやすさや使いやすさが追求されるべきもので、その形状はここで規定されるものではなく、材質等によりまたユニバーサルデザインの理念の元、柔軟に対応されるべきものである。
【図面の簡単な説明】
【００１０】
【図１】本発明の斜視図である。
【図２】本発明の底面から見た斜視図である。
【図３】本発明の実施例である。
【図４】本発明の側面図である。
【符号の説明】
【００１１】１  台座
２  支持棒
３  支持脚
４  保水部
５  ぎょうざの皮
６  手
【図１】
2006167388.tif 000003
【図２】
2006167388.tif 000004
【図３】
2006167388.tif 000005
【図４】
2006167388.tif 000006
(57)【要約】【課題】  ゴルフ場のホールのフェアウェー上で、ティグラウンドの距離計測基点からの飛距離を確認できるゴルフ場のホール構成要素を提供すること。【解決手段】  ティグラウンド２と、フェアウェー３と、グリーン４とから成るホール構成要素において、  フェアウェー３に、ティグラウンド２の距離計測基点５から飛距離確認範囲６に所要間隔で距離表示手段を配設して成る。飛距離確認範囲６は180ヤ−ドから320ヤードとされ、所要間隔とは10ヤード又は20ヤードであり、距離表示手段は芝の長短や異品種芝或いは人口芝による視覚的相違を以て形成される円弧状ライン７から距離数字を表示した表示板９や旗１０などである。【選択図】  図１
2006167341.tif 000002
【特許請求の範囲】
【請求項１】
ティグラウンドと、フェアウェーと、グリーンとから成るホール構成要素において、
フェアウェーに、ティグラウンドの基点から飛距離確認範囲に所要間隔で距離表示手段を配設して成るゴルフ場のホール構成要素。
【請求項２】
前記飛距離確認範囲が180ヤードから320ヤードである請求項１記載のゴルフ場のホール構成要素。
【請求項３】
距離表示手段が、フェアウェー内の芝の長さより短尺な芝の長さを以て形成された円弧状ラインから成る請求項１又は２記載のゴルフ場のホール構成要素。
【請求項４】
距離表示手段が、フェアウェーの既存の使用芝と異品種の芝の違いを以て形成された円弧状ラインから成る請求項１又は２記載のゴルフ場のホール構成要素。
【請求項５】
距離表示手段が、フェアウェーラインの両端及び／又はフェアウェーの中央に立設され、距離数字を記入した旗又は表示板から成る請求項１又は２記載のゴルフ場のホール構成要素。
【発明の詳細な説明】
【技術分野】
【０００１】
本発明は、スポーツ、娯楽の分野に属し、ゴルフ場のホール構成要素に関する。
【背景技術】
【０００２】
従来、ゴルフ場における各ホールの距離表示はグリーンを基点としてグリ−ンまでの距離を樹木や杭などで表示している。これは競技者がティグラウンドから打ったゴルフボールの飛距離を表示するものではなかった。ティグラウンドに於いては各ホールのティグラウンド上にさまざまの形でグリーン中央或いはグリーン端までの距離を表示したり、その途中にあっては樹木や杭などでグリーンまでの距離を表示しているが、前記のとおりティグラウンドを基点とする飛距離を表示するものでない。
したがって、競技者が自己の飛距離を確認することができる施設が望まれる現況である。
【発明の開示】
【発明が解決しようとする課題】
【０００３】
本発明は上記に鑑みて、ゴルフ場のホールのフェアウェー上で、ティグラウンドの距離計測基点からの飛距離を確認できるゴルフ場のホール構成要素を提供しようとするものである。
【課題を解決するための手段】
【０００４】
本発明の請求項１に記載したゴルフ場のホール構成要素は、ティグラウンドと、フェアウェーと、グリーンとから成るホール構成要素において、
フェアウェーに、ティグラウンド距離計測基点から飛距離確認範囲に所要間隔で距離表示手段を配設して成る。
請求項２に記載した発明は、請求項１に記載したゴルフ場のホール構成要素において、
前記飛距離確認範囲が180ヤードから320ヤードとしている。
請求項３に記載した発明は、請求項１又は２に記載したゴルフ場のホール構成要素において、
距離表示手段が、フェアウェー内の芝の長さより短尺な芝の長さを以て形成された円弧状ラインから成る。
請求項４に記載した発明は、請求項１又は２に記載したゴルフ場のホール構成要素において、
距離表示手段が、フェアウェーの既存の使用芝と異品種の芝の違いを以て形成された円弧状ラインから成る。
請求項５に記載した発明は、請求項１又は２に記載したゴルフ場のホール構成要素において、
距離表示手段が、フェアウェーラインの両端及び／又はフェアウェーの中央に立設され、距離数字を表示した旗又は表示板から成る。
【発明の効果】
【０００５】
本発明によれば、ゴルフ場のホールでの実戦競技やドライビングコンテストや練習に際しティグラウンドの距離計測基点からの飛距離を確認できるから、ゴルフ場の土壌の軟硬や季節による湿度や温度、風などによる飛距離への影響が把握され飛距離向上に効果がある。
【発明を実施するための最良の形態】
【０００６】
フェアウェーの飛距離確認範囲の180ヤードから320ヤード内に10ヤード又は20ヤードの間隔で距離表示手段を配設するが、距離表示手段の旗や表示板に表示する距離数字は、バックティグラウンド、フロントティグラウンド、レディスティグラウンドの各距離計測基点から計測された各個のものを準備するものから、これら三者の何れかの距離計測基点から計測された数字と、該数字に対して他のティグラウンドの該基点からの距離は、各ティグラウンドの距離計測基点間の距離分が増減されて併記される。距離表示手段としての円弧状ラインは一連のものから、円形、角形、楕円、菱形などの各種形状による断続形成によるものなどであり、ライン形成要素としては芝の長短や異品種の芝の違い或いは人工芝と植生芝の違いなど視覚的相違を以て形成されるものなどで、ゴルフ規則に抵触しないものが選択される。
【実施例】
【０００７】
本発明のゴルフ場のホール構成要素Ａを実施例により説明すると、図１に示すように、ホール１はバックティグラウンドａ、フロントティグラウンドｂ、レディスティグラウンドｃから成るティグラウンド２と、フェアウェー３と、グリーン４とから構成され、その中でフェアウェー３は、フロントティグラウンドｂの距離計測基点５から180ヤードから320ヤードの飛距離確認範囲６に20ヤード（10ヤード間隔でもよい）間隔で距離表示手段として、フェアウェー３内の芝の長さよりその背丈を短尺に刈り込んだ円弧状ライン７を形成し、各円弧状ライン７と両端のフェアウェーライン８との交差点には前記基点５からの距離数字を表示した表示板９が立設され、フェアウェー３の中央には同様に距離数字を表示した旗１０が立設されて成る。本実施例では一つの円弧状ライン７に表示板９と旗１０を立設したが、全円弧状ライン７に立設することができる。
【０００８】
このようにして成るゴルフ場のホール構成要素Ａにおけるゴルフ競技では、フロントティグラウンドｂの距離計測基点５からの打ち出しでスタートすれば、円弧状ライン７が飛距離の目安となるとともに、表示板９や旗１０に表示された距離数字から自己の飛距離が確認でき、飛距離の向上を望む者にとってその度合いが実感できる。
このような本発明のゴルフ場のホール構成要素Ａを、ゴルフ場運営に採用すれば、ゴルフ競技の娯楽性を高めることとなって若者のゴルフ人気を倍増し、ゴルフ人口の増加に資する効果を奏する。
【産業上の利用可能性】
【０００９】
本発明は、ゴルフ場のホール施工業界、これに関連する芝植生産業、人工芝製造業界、表示板や旗などの小道具製造業等を活性化するほか、ゴルフ場の運営そのものの活性化を誘発する。
【図面の簡単な説明】
【００１０】
【図１】本発明のゴルフ場のホール構成要素Ａの説明図。
【符号の説明】
【００１１】
１：ホール
２：ティグラウンド
３：フェアウェー
４：グリーン
５：距離計測基点
６：飛距離確認範囲
７：円弧状ライン
８：フェアウェーライン
９：表示板
１０：旗
Ａ：ゴルフ場のホール構成要素
【図１】
2006167341.tif 000003